(57)【要約】【課題】  携帯式電器製品内に組み付け可能で、携帯式電器製品の回路と接続するか或いは独立部品とされて携帯式電器製品に外接して充電を行なえる充電装置の提供。【解決手段】  充電装置は、スライド体、コイルセット及び磁石セットを具え、そのうちコイルセットは該スライド体に組み付けられ、該スライド体は磁石セットに対応するよう設置され且つギャップを保持し、該スライド体のスライドにより該コイルセットの各コイルが所定のギャップにあって、磁石セットの各磁石と快速な磁場変化を形成し、これにより大きな誘導電流を発生し、環境保護の作用を有するほか、場所に制限されずに充電を行なえ、連続使用の機能を提供する。【選択図】        図１
2005124250.tif 000002
【特許請求の範囲】
【請求項１】
磁場変化を加速した電磁誘導により容量の大きい誘導電流を発生して電力ソースを提供する充電装置であり、ベース、スライド体、コイルセット、磁石セット、緩衝体を具え、該ベースは単一開口の箱体とされ、その上を被覆するカバーを具え、且つ内部にスライド体、コイルセット、磁石セット及び緩衝体が組み付けられ、
該スライド体は固定板、金属芯座及び回転手段を具え、該固定板は該金属芯座の上方に位置し、該金属芯座は該固定板の一側に組み付けられ、該金属芯座に複数の芯軸により区画された複数の区間が設けられ、該回転手段は該固定板の少なくとも四つの角部に設けられ、
該コイルセットは該金属芯座の芯軸に巻き付けられ、
該磁石セットは、該ベースの内底面にあってスライド体とギャップを保持しつつスライド体に対向するよう設置され、
該緩衝体は、該スライド体の移動方向の対向する両側に設けられ、スライド体の移動後の回復動力を提供し、
該スライド体のスライドにより該コイルセットの各コイルが所定のギャップ下で、磁石セットの各磁石と急速な磁場変化を形成することにより、誘導電流を発生することを特徴とする、充電装置。
【請求項２】
請求項１記載の充電装置において、金属芯座の材料が鋼材とされたことを特徴とする、充電装置。
【請求項３】
請求項２記載の充電装置において、金属芯座と固定板の組み付けは、該金属芯座の各芯軸の上端に設けられた位置決め柱が固定板の対応位置に設けられた位置決め溝と組み合わされることによることを特徴とする、充電装置。
【請求項４】
請求項３記載の充電装置において、遮蔽鋼板が固定板とコイルセットの間に設けられて金属芯座を被覆するように一体とされ、該遮蔽鋼板に金属芯座に対応する区間が設けられ、且つ該遮蔽鋼板に金属芯座の位置決め柱に対応する貫通溝が設けられたことを特徴とする、充電装置。
【請求項５】
請求項４記載の充電装置において、磁石セットがＳＮ極の順序で配列されて接着剤でベースの内底面に接合されたことを特徴とする、充電装置。
【請求項６】
請求項５記載の充電装置において、ベースの内底面にスライドレールが設けられてスライド体を案内してスライドを順調となすことを特徴とする、充電装置。
【請求項７】
請求項６記載の充電装置において、コイルセットに接続された整流装置が設けられたことを特徴とする、充電装置。
【請求項８】
請求項７記載の充電装置において、プラグケーブルが該整流装置に接続されたことを特徴とする、充電装置。
【請求項９】
携帯式電器製品内に組み付けられ、並びに該携帯式電器製品の回路装置に接続された充電装置であって、該充電装置はスライド体、コイルセット、磁石セットを具え、
該スライド体は携帯式電器製品に設けられた収容室内にスライド自在に設けられて固定板、金属芯座及び回転手段を具え、該金属芯座が該固定板の一側に組付けられてそれに複数の芯軸で区画された複数の区間が設けられ、該回転手段は該固定板の少なくとも四つの角部に設けられ、
該コイルセットは該金属芯座の芯軸に巻き付けられ、
該磁石セットは、該スライド体とギャップを保持しつつ対向するように設けられ、
該スライド体のスライドにより該コイルセットの各コイルが所定のギャップ下で、磁石セットの各磁石と急速な磁場変化を形成することにより、誘導電流を発生することを特徴とする、充電装置。
【請求項１０】
請求項９記載の充電装置において、該スライド体の移動方向の対向する両側に緩衝体が設けられてスライド体の移動後の回復動力を提供することを特徴とする、充電装置。
【請求項１１】
請求項１０記載の充電装置において、金属芯座の材料が鋼材とされたことを特徴とする、充電装置。
【請求項１２】
請求項１１記載の充電装置において、金属芯座と固定板の組み付けは、該金属芯座の各芯軸の上端に設けられた位置決め柱が固定板の対応位置に設けられた位置決め溝と組み合わされることによることを特徴とする、充電装置。
【請求項１３】
請求項１２記載の充電装置において、遮蔽鋼板が固定板とコイルセットの間に設けられて金属芯座を被覆するように一体とされ、該遮蔽鋼板に金属芯座に対応する区間が設けられ、且つ該遮蔽鋼板に金属芯座の位置決め柱に対応する貫通溝が設けられたことを特徴とする、充電装置。
【発明の詳細な説明】
【技術分野】
【０００１】
本発明は一種の充電装置に係り、特に、電磁誘導により誘導電流を発生して充電電源となし、携帯式電器製品、例えばポータブルコンピュータ、ＰＤＡ、デジタルカメラ、懐中電灯、携帯型音楽プレイヤー等の充電作業に運用できる充電装置に関する。
【背景技術】
【０００２】
携帯式電器製品は情報テクノロジーの発達に伴い、その機能が増強されるだけでなく、一部はオンライン機能を具備するものとされ、その伝送速度と記憶するファイルは大きくなり、このため消耗する電力も大きくなっている。この現象は将来ブロードバンド通信伝送が更に広がると、更に厳重となる。ゆえに、個人携帯式電器製品の電力を随時補充できるようにして消費者の要求を満足させることが携帯式電器製品の課題である。
【０００３】
現在個人携帯式電器製品の電力補充方式は大きく二種類に分けられる。即ち、電池交換或いは充電である。そのうち電池交換は使い終えた電池を捨てられる便利性を有しているが、環境保護の観点からは、それに含まれる毒物が環境生態に対して厳重な危害を及ぼす。このため、あまり推薦できる方法ではない。且つ電池交換の方式は充電に較べて極めて不経済である。充電は使用上、長期性を有し、経済的で環境保護に役立つが、特定地点でなければ行なえないことが欠点である。
【発明の開示】
【発明が解決しようとする課題】
【０００４】
本発明の目的は、環境保護に役立つだけでなく、場所の制限がなく充電が行なえ、連続使用できる充電装置を提供することにある。
【０００５】
本発明の次の目的は、外接電力不要で充電が行なえ、且つ充電速度が速い充電装置を提供することにある。
【課題を解決するための手段】
【０００６】
請求項１の発明は、磁場変化を加速した電磁誘導により容量の大きい誘導電流を発生して電力ソースを提供する充電装置であり、ベース、スライド体、コイルセット、磁石セット、緩衝体を具え、該ベースは単一開口の箱体とされ、その上を被覆するカバーを具え、且つ内部にスライド体、コイルセット、磁石セット及び緩衝体が組み付けられ、
該スライド体は固定板、金属芯座及び回転手段を具え、該固定板は該金属芯座の上方に位置し、該金属芯座は該固定板の一側に組み付けられ、該金属芯座に複数の芯軸により区画された複数の区間が設けられ、該回転手段は該固定板の少なくとも四つの角部に設けられ、
該コイルセットは該金属芯座の芯軸に巻き付けられ、
該磁石セットは、該ベースの内底面にあってスライド体とギャップを保持しつつスライド体に対向するよう設置され、
該緩衝体は、該スライド体の移動方向の対向する両側に設けられ、スライド体の移動後の回復動力を提供し、
該スライド体のスライドにより該コイルセットの各コイルが所定のギャップ下で、磁石セットの各磁石と急速な磁場変化を形成することにより、誘導電流を発生することを特徴とする、充電装置としている。
請求項２の発明は、請求項１記載の充電装置において、金属芯座の材料が鋼材とされたことを特徴とする、充電装置としている。
請求項３の発明は、請求項２記載の充電装置において、金属芯座と固定板の組み付けは、該金属芯座の各芯軸の上端に設けられた位置決め柱が固定板の対応位置に設けられた位置決め溝と組み合わされることによることを特徴とする、充電装置としている。
請求項４の発明は、請求項３記載の充電装置において、遮蔽鋼板が固定板とコイルセットの間に設けられて金属芯座を被覆するように一体とされ、該遮蔽鋼板に金属芯座に対応する区間が設けられ、且つ該遮蔽鋼板に金属芯座の位置決め柱に対応する貫通溝が設けられたことを特徴とする、充電装置としている。
請求項５の発明は、請求項４記載の充電装置において、磁石セットがＳＮ極の順序で配列されて接着剤でベースの内底面に接合されたことを特徴とする、充電装置としている。
請求項６の発明は、請求項５記載の充電装置において、ベースの内底面にスライドレールが設けられてスライド体を案内してスライドを順調となすことを特徴とする、充電装置としている。
請求項７の発明は、請求項６記載の充電装置において、コイルセットに接続された整流装置が設けられたことを特徴とする、充電装置としている。
請求項８の発明は、請求項７記載の充電装置において、プラグケーブルが該整流装置に接続されたことを特徴とする、充電装置としている。
請求項９の発明は、携帯式電器製品内に組み付けられ、並びに該携帯式電器製品の回路装置に接続された充電装置であって、該充電装置はスライド体、コイルセット、磁石セットを具え、
該スライド体は携帯式電器製品に設けられた収容室内にスライド自在に設けられて固定板、金属芯座及び回転手段を具え、該金属芯座が該固定板の一側に組付けられてそれに複数の芯軸で区画された複数の区間が設けられ、該回転手段は該固定板の少なくとも四つの角部に設けられ、
該コイルセットは該金属芯座の芯軸に巻き付けられ、
該磁石セットは、該スライド体とギャップを保持しつつ対向するように設けられ、
該スライド体のスライドにより該コイルセットの各コイルが所定のギャップ下で、磁石セットの各磁石と急速な磁場変化を形成することにより、誘導電流を発生することを特徴とする、充電装置としている。
請求項１０の発明は、請求項９記載の充電装置において、該スライド体の移動方向の対向する両側に緩衝体が設けられてスライド体の移動後の回復動力を提供することを特徴とする、充電装置としている。
請求項１１の発明は、請求項１０記載の充電装置において、金属芯座の材料が鋼材とされたことを特徴とする、充電装置としている。
請求項１２の発明は、請求項１１記載の充電装置において、金属芯座と固定板の組み付けは、該金属芯座の各芯軸の上端に設けられた位置決め柱が固定板の対応位置に設けられた位置決め溝と組み合わされることによることを特徴とする、充電装置としている。
請求項１３の発明は、請求項１２記載の充電装置において、遮蔽鋼板が固定板とコイルセットの間に設けられて金属芯座を被覆するように一体とされ、該遮蔽鋼板に金属芯座に対応する区間が設けられ、且つ該遮蔽鋼板に金属芯座の位置決め柱に対応する貫通溝が設けられたことを特徴とする、充電装置としている。
【発明の効果】
【０００７】
本発明は、環境保護に役立つだけでなく、場所の制限がなく充電が行なえ、連続使用できる充電装置を提供している。
【０００８】
本発明は、外接電力不要で充電が行なえ、且つ充電速度が速い充電装置を提供している。
【発明を実施するための最良の形態】
【０００９】
本発明の充電装置は、磁場変化の電磁誘導を加速することにより比較的大きな容量の誘導電流を発生して電力ソースとなし、該充電装置は、スライド体、コイルセット及び磁石セットを具え、そのうちコイルセットは該スライド体に組み付けられ、該スライド体は磁石セットに対応するよう設置され且つギャップを保持し、該スライド体のスライドにより該コイルセットの各コイルが所定のギャップにあって、磁石セットの各磁石と快速な磁場変化を形成し、これにより大きな誘導電流を発生する。
【００１０】
該スライド体は固定板、金属芯座及び回転手段を具え、該金属芯座がコイルの巻き付けに供され、且つ該固定板と組み合わされて一体とされ、該回転手段は固定板の少なくとも四つの角部に設けられ、これによりスライド体を順調に移動させられる。
本発明の充電装置は更に緩衝体を具え、それはスライド体の移動方向の対向する両側に設けられ、スライド体の移動後の回復動力を提供する。
【実施例１】
【００１１】
図１に示されるように、本発明の充電装置１は、ベース２、スライド体３、コイルセット４、磁石セット５、及び緩衝体６を具えている。該ベース２は単一開口の扁平な長方形体とされ、その開口２０が上向きとされ並びにカバー２１で被覆され、内部に上述のスライド体３、コイルセット４及び磁石セット５、及び緩衝体６を収容する。且つ内底面にスライドレール２２が設けられて該スライド体３を案内してそのスライドを順調となす。
【００１２】
該スライド体３は、固定板３０、金属芯座３１及び回転手段３２を具えている。該固定板３０には複数の位置決め溝３０１が設けられて後述の金属芯座３１の組み付けに供される。また、その四つの角部に回転手段３２が枢設されてスライドに供される。該金属芯座３１は複数の芯軸３１０により複数の区間に区画され、且つ各一つの芯軸３１０より上向きに位置決め柱３１１が延伸されている。また、該金属芯座３１に対向する一側に遮蔽鋼板３３が該金属芯座３１を被覆するように組み合わされ、該遮蔽鋼板３３に金属芯座３１に対応する区間３３０が設けられ、且つ位置決め柱３１１に対応する位置に貫通溝３３１が設けられて、相互に挿嵌後に該位置決め柱３１１が折り曲げられて一体に組み立てられる。
【００１３】
該コイルセット４は該金属芯座３１の各芯軸３１０に巻き付けられる。該磁石セット５は、ＳＮ極の順序で配列されて接着剤で該ベース２の内底面に接合され、該磁石セット５はスライド体３に対向するよう設置され且つギャップｔを保持し（図３、４参照）、該ギャップは実際の磁場変化の必要に応じて設定される。該緩衝体６は圧縮バネとされ得て、スライド体の移動方向の対応する両側に設けられ、スライド体３の移動後の回復動力を提供する。本実施例では該緩衝体６の両端はそれぞれ遮蔽鋼板３３とベース２の側面に当接している。
【００１４】
続いて図２に示されるように、本発明の充電装置１を組み立てる時は、図示されるように、該磁石セット５がベース２の内底面に組み付けられる。コイルセット４が各芯軸３１０に巻き付けられた後、該金属芯座３１の位置決め柱３１１が遮蔽鋼板３３の貫通溝３３１に挿通され、さらに位置決め柱３１１が折り曲げられて一体とされる。組立完成後に緩衝体６が所定の位置に設置され並びにカバー２１がベース２の開口を閉じるように組み合わされて固定されれば組立が完成する。組立完成後の外観は扁平長方形体を呈する。
【００１５】
図３、４に示されるように、本発明の充電装置１の電力の発生は、該スライド体３に伴うコイルセット４と磁石セット５との相対遠近移動により、図の矢印に示されるように、コイルセット４周囲の磁場に急速な変化を発生させることにより誘導電流を発生させて電力ソースを提供する。その間、両側の緩衝体６の回復力の作用により該スライド体３の往復動作が順調に行なわれ、且つ不断に動作して急速に電力提供できる。注意すべきは、上述のようにして発生した誘導電流には不安定現象がありうるため、図１、２に示されるように該コイルセット４には整流装置７を外接可能である。また、プラグケーブル８を接続して直接既存の電器製品に差し込んで充電を行なうこともできる。
【００１６】
図５に示されるように、本発明の充電装置１をＰＤＡ９０に運用する時、本発明の充電装置１のプラグケーブルをＰＤＡの充電ソケットに差し込み、本発明の充電装置１を揺動させれば（図３、４参照）、充電を行なえる。また、図６に示されるように、本発明の充電装置１を懐中電灯９１内に組み付け、並びにコイルセットのプラス極、マイナス極４０、４１と懐中電灯９１のプラス、マイナスを接続し、本発明の充電装置１を揺動させれば必要な電力が提供される。上述の運用の対象以外にも、本発明は同じ或いは類似の組立形式で、デジタルカメラ、携帯音楽プレイヤーの充電作業に運用されて必要な電源を提供することができる。
【００１７】
総合すると、本発明の充電装置は確実に本発明の目的を達成し、特許の要件に符号する。なお、以上の実施例は本発明の実施範囲を限定するものではなく、本発明に基づきなしうる細部の修飾或いは改変は、いずれも本発明の請求範囲に属するものとする。
【図面の簡単な説明】
【００１８】
【図１】本発明の充電装置の分解斜視図である。
【図２】図１の局部組合せ斜視図である。
【図３】本発明のスライド体、コイルセットが磁石セットに対してスライドする表示図である。
【図４】本発明のスライド体、コイルセットが磁石セットに対してスライドする表示図である。
【図５】本発明の充電装置のＰＤＡにおける運用表示図である。
【図６】本発明の充電装置の懐中電灯における運用表示図である。
【符号の説明】
【００１９】
１  充電装置                  ２  ベース
３  スライド体                ４  コイルセット
５  磁石セット                ６  緩衝体
７  整流装置                  ８  プラグケーブル
２０  開口                    ２１  カバー
２２  スライドレール          ３０  固定板
３１  金属芯座                ３２  回転手段
３３  遮蔽鋼板                ３１０  芯軸
３１１  位置決め柱            ３３０  区間
３３１  貫通溝                ４０、４１  プラス、マイナス極
９０  ＰＤＡ                  ９１  懐中電灯
【図１】
2005124250.tif 000003
【図２】
2005124250.tif 000004
【図３】
2005124250.tif 000005
【図４】
2005124250.tif 000006
【図５】
2005124250.tif 000007
【図６】
2005124250.tif 000008